(57)【要約】      （修正有）【課題】容器から粉体が漏れ出る不具合改善し、使い勝手の良い塗布具付き化粧料容器を提供する。【解決手段】粉体化粧料Ｍを収容可能な有底筒状で開口部を有する容器本体１と、容器本体と着脱可能に結合する蓋部２と、容器本体内に設けられ粉体化粧料を通過可能な複数の通過孔が穿設されている中皿３と、把手部とこの把手部と一体になっているゲル状材質の塗布部４ｂとから形成される塗布具４と、を備えた塗布具付き化粧料容器１００であって、塗布具の塗布部はその硬度が０〜５であり、容器本体の開口部近傍の外周面に雄螺子が形成され、蓋部の内周面には雌螺子が形成され、雄螺子と雌螺子とが螺合結合することで容器本体と蓋部とが結合し、容器本体と蓋部とが結合した際、中皿の通過孔を塗布部が塞ぐように中皿と蓋部との間に塗布具が挟み込まれていることを特徴とする。【選択図】図１
0003183106.tif 000002
【実用新案登録請求の範囲】
【請求項１】
粉体化粧料を収容可能な有底筒状で開口部を有する容器本体と、
前記容器本体と着脱可能に結合する蓋部と、
前記容器本体内に設けられ前記粉体化粧料を通過可能な複数の通過孔が穿設されている中皿と、
把手部とこの把手部と一体になっているゲル状材質の塗布部とから形成される塗布具と、
を備えた塗布具付き化粧料容器であって、
前記塗布具の塗布部はその硬度が０〜５であり、
前記容器本体の前記開口部近傍の外周面に雄螺子が形成され、該蓋部の内周面には雌螺子が形成され、該雄螺子と該雌螺子とが螺合結合することで該容器本体と該蓋部とが結合し、
前記容器本体と前記蓋部とが結合した際、前記中皿の前記通過孔を前記塗布部が塞ぐように該中皿と該蓋部との間に前記塗布具が挟み込まれていることを特徴とする塗布具付き化粧料容器。
【請求項２】
前記塗布具の前記把手部は、前記容器本体と前記蓋部とが結合する際に該蓋部と当接する部分が該蓋部との摩擦がおきにくい形状であることを特徴とする請求項１に記載の塗布具付き化粧料容器。
【請求項３】
前記塗布部は、ウレタン又はシリコンで形成されていることを特徴としている請求項１又は２に記載の塗布具付き化粧料容器。
【考案の詳細な説明】
【技術分野】
【０００１】
本考案は、容器本体に収容される粉体化粧料を塗布する際に使用する塗布具を備える塗布具付き化粧料容器に関する。
【背景技術】
【０００２】
従来、粉体化粧料や粉体化粧料を固めた固形化粧料を収容する容器において化粧料の粉漏れを防止する技術は多数提案されているが、その中で下記文献１には、容器本体内に内容物とその内容物の通過穴を穿設した中皿とを具え、蓋体と容器本体の容器閉蓋時には、弾性部材の押圧力によりパフ下面が中皿の底壁上面に当接して通過穴を閉塞して粉漏れを防止する化粧料容器の技術が開示されている。
【先行技術文献】
【特許文献】
【０００３】
【特許文献１】特許第４８５０４３８号公報
【考案の概要】
【考案が解決しようとする課題】
【０００４】
しかし上記文献１の化粧料容器の構成では、パフを中皿へ当接させる為に押圧力をパフに与える弾性部材を必要とし、その分部品点数が増えて構成が複雑化していた。そして、通過穴をパフで閉塞してもパフ自体が気孔率の高い素材で形成されておりその表面は凸凹状になっているので、化粧料がパフの中を通り抜けててしまう、若しくは表面の凸凹部分を通って粉が容器外へ漏れ出てしまうということがあり、粉漏れ防止技術としては十分に機能していなかった。
【課題を解決するための手段】
【０００５】
本考案の塗布具付き化粧料容器としては、粉体化粧料を収容可能な有底筒状で開口部を有する容器本体と、容器本体と着脱可能に結合する蓋部と、容器本体内に設けられ粉体化粧料を通過可能な複数の通過孔が穿設されている中皿と、把手部とこの把手部と一体になっているゲル状材質の塗布部とから形成される塗布具と、を備えた塗布具付き化粧料容器であって、記塗布具の塗布部はその硬度が０〜５であり、容器本体の開口部近傍の外周面に雄螺子が形成され、蓋部の内周面には雌螺子が形成され、雄螺子と雌螺子とが螺合結合することで容器本体と蓋部とが結合し、容器本体と蓋部とが結合した際、中皿の通過孔を塗布部が塞ぐように中皿と蓋部との間に塗布具が挟み込まれていることを特徴とする。
【０００６】
また、塗布具の把手部は、容器本体と蓋部とが結合する際に蓋部と当接する部分が蓋部との摩擦がおきにくい形状であることを特徴とする。
【０００７】
また、塗布部は、ウレタン又はシリコンで形成されていることを特徴とする。
【０００８】
本考案をこのような構成とすることで、容器本体と蓋体を結合させるだけで塗布部は中皿に押しつけられ密着し、通過孔を塗布部で隙間無く塞ぐことが可能な塗布具付き化粧料容器とすることが出来る。
【考案の効果】
【０００９】
塗布部と把手部を一体に設けてなる塗布具とすることで、使用者は化粧料の塗布がし易くなると共にこの塗布具を中皿と蓋体との間に挟み込み容器本体と蓋体を結合させるだけで塗布部は中皿に押しつけられて密着し、通過孔を隙間無く塞ぐことが出来るので、上記文献１のように弾性部材を必要とせず、部品点数を減らして、製造コストを抑えることが出来る。
また、この塗布部はゲル状材質の硬度０〜５の人肌相当の非常に軟らかい硬度とすることで、中皿への密着度に優れて通過孔を高精度に塞ぐことが出来るので粉漏れを今までにない精度で防止出来る。
更に、塗布部を上記のような材質の硬度（人肌相当の硬度）とすることで従来のスポンジパフ等の塗布具に比して、これまでに無い使用感で化粧料を施すことができ、技術の選択肢の幅を広げることが出来る。
【図面の簡単な説明】
【００１０】
【図１】本考案の実施例に係る塗布具付き化粧料容器の全体断面図である
【図２】図１の全体断面図から蓋部を取り外した断面図である
【図３】実施例に係る塗布具付き化粧料容器の蓋部、塗布具、中皿が装着されている容器本体を斜め上方向から見た斜視図である。
【図４】実施例に係る塗布具付き化粧料容器の塗布具を斜め下方向から見た斜視図である
【考案を実施するための形態】
【００１１】
以下、添付図面を参照して、本考案の実施形態について詳細に説明する。なお、同一又は相当要素には同一符号を付して重複する説明は省略する。
【００１２】
図１は塗布具付き化粧料容器の全体断面図、図２は図１の全体断面図から蓋部を取り外した断面図、図３は蓋部、塗布具、中皿が装着されている容器本体を斜め上方向から見た斜視図、図４は塗布具を斜め下方向から見た斜視図であり、本考案の塗布具付き化粧料容器は、フェイスカラーやチークカラー等の粉体化粧料を顔に塗布する際に使用するものである。
【００１３】
塗布具付き化粧料容器１００は、図１乃至図３に示すように、容器本体１、蓋部２、中皿３、塗布具４から構成された所謂ジャー容器であり、容器本体１と蓋部２とが結合し、中皿３は容器本体１内に設けられ、塗布具４は中皿３と蓋部２の間に挟み込まれて収納されている。
【００１４】
容器本体１は、外形形状が円筒状をしており軸線方向の一方側に開口１ａを有し、他方側に底部を有している。この開口１ａ近傍の外周面には、後述する蓋部２の雌螺子２ｂと螺合する、雄螺子１ｂが形成されており、また、容器本体１の内側には粉体化粧料Ｍが収容される収容部１ｃが形成されている。なお、収容部１ｃは、その底部分の形状が湾曲した曲面形状となっており図１及び図２において側面視で円弧形状となっているが、この底部分の形状が平面形状となってもよく、また、容器本体１の内側の全てを収容部１ｃが占めてもよい。
【００１５】
蓋部２は、軸線方向一方側に開口２ａを有し他方側に天面２ｃを有する筒形状をしており、開口２ａ近傍の内周面には上記容器本体１の雄螺子１ｂと螺合可能な雌螺子２ｂが形成されている。また、天面２ｃには、開口２ａ方向へ突出する突起２ｄが形成されており、蓋部２と容器本体１とが結合する際には、図１に示すよう、後述する中皿３の鍔３ａを容器本体１の開口１ａとの間で軸線方向に挟み込むことができる。こうすることで中皿３は、蓋部２と容器本体１とが結合している際は軸線方向への移動が規制されることになる。
【００１６】
これら容器本体１及び蓋部２の材質としては、一般的に化粧品容器に用いられる材料であればよく、例えばＰＰ、ＡＢＳ、ＡＥＳ、ＰＳ、ＰＥＴ等が考えられる。
【００１７】
中皿３は、筒状の外枠３ｄとこの外枠３ｄの内側に設けられる受け部３ｃからなり、外枠３ｄには、軸線方向一方側の端の全周に渡って形成され周方向外側に突出した鍔３ａが設けられている。この鍔３ａは、図１乃至図３に示すように、中皿３を容器本体１内へ厚入される際、容器本体１の開口１ａに当接して中皿３が容器本体１の底側へ落ちないようにする為に設けられている。
また、受け部３ｃは、図１又は図２に示すように、塗布具４を受けることができ、外枠３ｄと結合している部分から外枠３ｄの内側の中心に向かって湾曲していると共に粉体化粧料Ｍが通過可能な複数の通過孔３ｂが穿設されている。
この通過孔３ｂの形状としては、丸型、星型、三角形、四角形、文字やロゴマーク等の意匠性のある形状、等、粉体化粧料が通過可能であればその形状は限定しない。
【００１８】
なお、この中皿３の受け部３ｃは、必ずしも湾曲形状とする必要は無く、側面視で平坦な形状、多角形状、逆三角形状、等、塗布具４を受けることが可能な形状であり、且つ、中皿３に形成される通過孔３ｂを、後述する塗布具４の塗布部４ｂが覆い隠せる形状であれば、特にその形状は限定しない。
【００１９】
塗布具４は、ユーザが塗布具４を持つ際につかむ把手部４ａと粉体化粧料Ｍを付着可能とした塗布部４ｂとから構成されている。
把手部４ａは側面視で上方向に湾曲しておりその表面は図３に示すように曲面になっている。把手部４を形成する材料としては、例えばＰＰ、ＡＢＳ、ＡＥＳ、ＰＳ、ＰＥＴ、ＰＯＭ、ポリエチレン等が考えられる。
塗布部４ｂは、その外形形状を図２乃至図４に示すように、下方向へ湾曲する形状とし、ゲル状のウレタン又はシリコンで形成されている。この塗布部４ｂは、ディロメータのアスカーＣ型を用いて測定した硬度が０〜５となるようにし、いわゆる人肌程度の感触を持たせている。このように塗布部４ｂを非常に軟らかい硬度とすることでユーザは、付着している粉体化粧料Ｍを頬等の肌に化粧する際、今までにない感触の使用感を得ることが出来る。
【００２０】
また、塗布部４ｂを形成するウレタンやシリコンに軟らかさを出す為には可塑剤を添加する必要があり、この可塑剤の種類としては、フタル酸系、アジピン酸系、リン酸系、トリメリット酸系、等が考えられる。その中でもフタル酸ビス（２−エチルヘキシル）（ＤＥＨＰ）やフタル酸ジイソノニル（ＤＩＮＰ）が代表的な可塑剤として知られている。本実施例では、好適であるとしてウレタンにフタル酸ジイソノニルを可塑剤として添加したものを塗布部４ｂとしている。
【００２１】
また、これら可塑剤を添加することでウレタンやシリコンに粘着性がでてくることが知られており、硬度２０以下からその粘着性が出始めて硬度０に近づくにつれて粘着性の粘度は高まっていく。塗布部４ｂに粘着性が残ったままだと粉体化粧料Ｍが塗布部４ｂに付着しすぎたり、ユーザの肌に、塗布部４ｂから粉体化粧料Ｍが離れず付着しないという不具合が起こる可能性があるため、粘着性を抑える必要がある。その方法としては、適量の実中味を塗布部４ｂにまぶしたり、タルク又は酸化チタン等の無機系の粉末を適量まぶす方法がある。そうすることで塗布部４ｂは、その表面が気孔率の高いパフと比べると凸凹が少ないこともあり、まぶす粉末の粒径の大きさによって塗布部４ｂに付着させる粉体化粧料Ｍの粒径を選択できる。例えば、粒径の大きい無機系の粉末を塗布部４ｂにまぶせば粒径の大きい粉体化粧料Ｍを塗布部４ｂに付着させるのに好適となり、粒径の小さい無機系の粉末を塗布部４ｂにまぶせば粒径の小さい粉体化粧料Ｍを塗布部４ｂに付着させるのに好適となる。故に、ユーザが肌に化粧を施す際、今までパフ等の塗布具ではユーザの肌に付着させることが難しかった粒径の大きい例えばバール剤等の粉体化粧料Ｍも容易にユーザの肌に付着さることが可能となる。
【００２２】
このような構成の塗布具付き化粧料容器１００の組み付け方法について説明する。
まず容器本体１の収容部１ｃに粉体化粧料Ｍを収容し、容器本体１の開口１ａに鍔３ａが当接するようにして中皿３を容器本体１内に挿入する。このとき中皿３は、受け部３ｃの下面が収容室１ｃに収容されている粉体化粧料Ｍと接触しない位置で容器本体１に挿入されることが好ましい。そして、この中皿３の受け部３ｃ上に塗布具４を置き、その上から蓋部２をかぶせて雄螺子１ｂと雌螺子２ｂとが螺合結合することにより、蓋部２と容器本体１は結合される。
【００２３】
容器本体１と蓋部２が結合されると、塗布具４は、蓋部２と中皿３との間に挟まれ、塗布部４ｂは図１に示すように周方向へ受け部３ｃ上に広がり、また、受け部３ｃ面への密着度も高まることになる。つまり、容器本体１と蓋体２を結合させるだけで塗布部４ｂは中皿３に押しつけられて密着し、通過孔３ｂを隙間無く塞ぐことが出来る。さらに、この塗布部４ｂは上述した用にゲル状であり硬度０〜５の人肌相当の非常に軟らかい硬度としていることで、中皿３へ従来よりもより一層密着して通過孔３ｂを塞ぐことが出来るので粉漏れを今までにない精度で防止出来る。
【００２４】
また、蓋部２と容器本体１とが螺合結合する際、蓋部２の天面２ｃと塗布具４の把手部４ａが当接したまま蓋部２が回転することになるが、本実施形態では把手部４ａの形状を湾曲した曲面としており、天面２ｃと摩擦がおきにくい形状となっている。こうすることで、把手部４ａと天面２ｃとの間で摩擦がおき蓋部２の回転に合わせて塗布具４も中皿３の上で回ってしまい、通過孔３ｂで塗布部４ｂが破損する虞を回避できる。
【００２５】
なお、把手部４ａの形状は図１乃至図４に描かれているような形状以外でももちろんよく、天面２ｃと摩擦がおきにくい形状であればその形状は限定しない。
【００２６】
さらに、把手部４ａと天面２ｃとの摩擦を軽減する構成としては、天面２ｃに把手部４ａを形成する材質と摩擦の起きにくい材質で形成されたフィルム等を貼り付けて摩擦をおきにくくさせてもよい。
【００２７】
このような塗布具付き化粧料容器１００を使用する場合は、化粧料容器１００ごと軸線方向にふるか逆さまにして、粉体化粧料Ｍを通過孔３ｂを通して塗布部４ｂに付着させる。その後、蓋部２を容器本体１から取り外し、ユーザは把手部４ａをつかんで頬等の肌に粉体化粧料Ｍを塗布することになる。その際、塗布部４ｂを人肌相当の硬度とすることで従来のスポンジパフ等の塗布具に比して、これまでに無い使用感で化粧料を施すことができるので、技術の選択肢の幅を広げることが出来る。
【００２８】
また、蓋部２を外した状態でユーザが容器本体１と把手部４ａを軸線方向につかんで、容器をふるか把手部４ａの方を下に向けるかすることでも粉体化粧料Ｍを塗布部４ｂに付着させることができる。このような使い方をしても、上述したように塗布部４ｂは人肌相当の非常に軟らかい材質から形成されているので、中皿３への密着度に優れ今までにない精度で粉漏れを防止出来、蓋部２を取り外していても粉体化粧料Ｍが容器本体１の外へ漏出してしまう虞はない。
【符号の説明】
【００２９】
１  容器本体、２  蓋部、  ３  中皿  、４  塗布具、１００  塗布具付き化粧料容器、Ｍ  粉体化粧料
【図１】
0003183106.tif 000003
【図２】
0003183106.tif 000004
【図３】
0003183106.tif 000005
【図４】
0003183106.tif 000006